(57)【要約】  カード表示部が、患者に関する医療情報とリンクされた複数のカードを医療情報表示画面に表示する。選択部が、複数のカードうちのいずれかのカードの選択を受け付ける。表示制御部が、選択されたカードにリンクされた医療情報の第１の代表情報を医療情報表示画面における第１の表示領域に表示し、選択されたカードにリンクされた医療情報に関連する少なくとも１つの関連医療情報のそれぞれについての第２の代表情報を、医療情報表示画面における第２の表示領域に表示する。
2020105415.tif 000002
【特許請求の範囲】
【請求項１】
患者に関する医療情報とリンクされた複数のカードを医療情報表示画面に表示するカード表示部と、
前記複数のカードのうちのいずれかのカードの選択を受け付ける選択部と、
該選択されたカードにリンクされた医療情報の第１の代表情報を前記医療情報表示画面における第１の表示領域に表示し、前記選択されたカードにリンクされた医療情報に関連する少なくとも１つの関連医療情報のそれぞれについての第２の代表情報を、前記医療情報表示画面における第２の表示領域に表示する表示制御部とを備えた医療情報表示装置。
【請求項２】
前記第１の代表情報は、前記選択されたカードにリンクされた医療情報を代表する第１の特定の医療情報を縮小した画像であり、前記第２の代表情報は、前記関連医療情報を代表する第２の特定の医療情報を縮小した画像である請求項１に記載の医療情報表示装置。
【請求項３】
前記第２の代表情報のサイズは前記第１の代表情報のサイズよりも小さい請求項２に記載の医療情報表示装置。
【請求項４】
前記第１の表示領域は、予め定められた複数の小表示領域に分割されてなり、
前記表示制御部は、前記選択されたカードにリンクされた医療情報の第１の代表情報を１つの前記小表示領域に表示し、前記選択されたカードとは別のカードが選択された場合、前記複数の小表示領域に空き領域があれば、前記別のカードにリンクされた医療情報の第１の代表情報を前記空き領域に表示し、かつ前記別のカードにリンクされた医療情報に関連する関連医療情報についての第２の代表情報を前記第２の表示領域に追加して表示し、前記複数の小表示領域に前記空き領域がない場合、前記別のカードにリンクされた医療情報に関連する関連医療情報についての第２の代表情報を前記第２の表示領域に追加して表示する請求項１から３のいずれか１項に記載の医療情報表示装置。
【請求項５】
前記表示制御部は、前記第１の表示領域における前記複数の小表示領域に表示された複数の前記第１の代表情報のうちのいずれかの第１の代表情報の拡大指示により、該拡大指示された第１の代表情報を拡大して前記第１の表示領域に表示する請求項４に記載の医療情報表示装置。
【請求項６】
前記表示制御部は、前記第１の表示領域において前記第１の代表情報が拡大表示されている場合、前記複数のカードからの別のカードの選択により、前記拡大表示されている第１の代表情報に代えて、前記別のカードにリンクされた医療情報の第１の代表情報を前記第１の表示領域に拡大表示する請求項５に記載の医療情報表示装置。
【請求項７】
前記表示制御部は、前記第１の表示領域において前記第１の代表情報が拡大表示されている場合、前記第２の表示領域に表示された前記第２の代表情報の選択により、前記拡大表示されている第１の代表情報に代えて、前記選択された第２の代表情報または該選択された第２の代表情報により代表される前記医療情報の第１の代表情報を前記第１の表示領域に拡大表示する請求項５に記載の医療情報表示装置。
【請求項８】
前記表示制御部は、前記第１の表示領域に表示された前記第１の代表情報および前記第２の表示領域に表示された前記第２の代表情報の少なくとも一方についての詳細情報を、前記医療情報表示画面の第３の表示領域にさらに表示する請求項１から７のいずれか１項に記載の医療情報表示装置。
【請求項９】
前記表示制御部は、前記第１の表示領域において前記第１の代表情報が拡大表示されている場合、前記第３の表示領域に表示された前記詳細情報の選択により、前記拡大表示されている第１の代表情報に代えて、前記選択された詳細情報または該選択された詳細情報を取得した前記医療情報の第１の代表情報を前記第１の表示領域に拡大表示する請求項８に記載の医療情報表示装置。
【請求項１０】
患者に関する医療情報とリンクされた複数のカードを医療情報表示画面に表示し、
前記複数のカードのうちのいずれかのカードの選択を受け付け、
該選択されたカードにリンクされた医療情報の第１の代表情報を前記医療情報表示画面における第１の表示領域に表示し、前記選択されたカードにリンクされた医療情報に関連する少なくとも１つの関連医療情報のそれぞれについての第２の代表情報を、前記医療情報表示画面における第２の表示領域に表示する医療情報表示方法。
【請求項１１】
患者に関する医療情報とリンクされた複数のカードを医療情報表示画面に表示する手順と、
前記複数のカードのうちのいずれかのカードの選択を受け付ける手順と、
該選択されたカードにリンクされた医療情報の第１の代表情報を前記医療情報表示画面における第１の表示領域に表示し、前記選択されたカードにリンクされた医療情報に関連する少なくとも１つの関連医療情報のそれぞれについての第２の代表情報を、前記医療情報表示画面における第２の表示領域に表示する手順とをコンピュータに実行させる医療情報表示プログラム。
【請求項１２】
患者に関する医療情報とリンクされた複数のカードを表示するカード表示領域と、
前記複数のカードのうちのいずれかのカードの選択により、選択された該カードとリンクされた前記医療情報の第１の代表情報を表示する第１の表示領域と、
前記選択されたカードにリンクされた医療情報に関連する少なくとも１つの関連医療情報のそれぞれについての第２の代表情報を表示する第２の表示領域とを含む医療情報を表示するためのグラフィックユーザインターフェース。
【請求項１３】
前記第１の表示領域に表示された前記第１の代表情報および前記第２の表示領域に表示された前記第２の代表情報の少なくとも一方についての詳細情報を表示する第３の表示領域をさらに含む請求項１２に記載のグラフィックユーザインターフェース。
【発明の詳細な説明】
【技術分野】
【０００１】
本開示は、医療情報管理装置、方法およびプログラム、並びに医療情報を表示するためのグラフィックユーザインターフェースに関するものである。
【背景技術】
【０００２】
ＣＲ(Computed Radiography)装置、ＣＴ（Computed Tomography）装置、およびＭＲＩ（Magnetic Resonance imaging）装置等の画像撮影装置（モダリティ）により取得された医用画像を用いた画像診断が行われている。画像診断は、医用画像を医師の端末に表示することにより行われる。また、画像診断においては、医用画像に対して行われた、ＣＡＤ（Computer-Aided Diagnosis）による解析結果を参照することも行われている。また、同一患者について過去に取得された医用画像を用いた比較診断も行われている。さらに、画像診断を行う際には、血液の成分の分析等により得られる生理検査、および眼底検査による眼底画像等も参照される。【０００３】
これらの医用画像等の医療情報は、ＰＡＣＳ（Picture Archiving and Communication Systems）等に保管される。保管された医療情報は、医師の端末に呼び出されて表示され、診断に供される。【０００４】
しかしながら、保存される医療情報は大量にある。このため、大量の医療情報から必要な医療情報を取得するための各種手法が提案されている。例えば、特開２０１３−２４２７４５号公報には、カルテ情報、ＰＡＣＳ画像データ、生理検査データ、検体検査データ、文章データの一部または全部を含む診療データを、患者毎に割り当てられた識別情報に基づいて抽出し、抽出されたデータを、縦軸および横軸にそれぞれ所定項目を割り当てた一覧表示形式の表示データとして生成して閲覧可能に表示する手法が提案されている。特開２０１３−２４２７４５号公報に記載された手法においては、表示データの所定項目が入力操作により選択されると、選択された項目に該当する診療データおよび画像データのみが抽出されて、抽出された診療データおよび画像データのサムネイル画像等が、日付毎に分類した所定レイアウトに配置されて一覧表示される。
【発明の概要】
【発明が解決しようとする課題】
【０００５】
特開２０１３−２４２７４５号公報に記載された手法においては、一覧表示された項目を選択すると、選択された項目に対応するデータが拡大されて表示される。さらに別の項目を選択すると、別の項目に対応するデータが拡大されて表示される。ここで、医療情報を用いて診断を行う際には、例えば同一患者についての過去に撮影された医用画像、および同一の検査において取得された医用画像等を参照することが多い。特開２０１３−２４２７４５号公報に記載された手法においては、医師は表示された項目に関連する項目を自分で探して表示する必要がある。したがって、特開２０１３−２４２７４５号公報に記載された手法においては、表示したい医療情報に効率よくアクセスすることは困難である。【０００６】
本開示は上記事情に鑑みなされたものであり、表示を所望する医療情報に効率よくアクセスできるようにすることを目的とする。
【課題を解決するための手段】
【０００７】
本開示による医療情報表示装置は、患者に関する医療情報とリンクされた複数のカードを医療情報表示画面に表示するカード表示部と、
複数のカードのうちのいずれかのカードの選択を受け付ける選択部と、
選択されたカードにリンクされた医療情報の第１の代表情報を医療情報表示画面における第１の表示領域に表示し、選択されたカードにリンクされた医療情報に関連する少なくとも１つの関連医療情報のそれぞれについての第２の代表情報を、医療情報表示画面における第２の表示領域に表示する表示制御部とを備える。【０００８】
「カード」とは、境界により規定される閉じられた領域を意味する。カードは、矩形のみならず矩形以外の任意の形状を有するものであってもよい。また、カードは、そのサイズを任意に変更可能なものであってもよい。また、カードは、リンクされた医療情報に関する文字情報、および医療情報の縮小画像、とくにサムネイル画像を含むものであってもよい。【０００９】
「患者に関する医療情報」とは、患者に対して行われた検査等により取得された情報であり、例えばＣＲ装置により取得された放射線画像、ＣＴ装置およびＭＲＩ装置等により取得された３次元画像、血液検査等の検査結果、検体検査等の検査結果、カルテ、画像を読影することにより取得された読影レポート、眼底および外観等の患者を撮影することにより取得した画像、病院の紹介状並びに院内の診療科の紹介状等、患者に関する医療についての任意の情報を含む。なお、１つの検査において複数の撮影シリーズが含まれる場合がある。このような場合、１つのカードに１つの撮影シリーズを医療情報として対応づけておくことが好ましい。【００１０】
なお、本開示による医療情報表示装置においては、第１の代表情報は、選択されたカードにリンクされた医療情報を代表する第１の特定の医療情報を縮小した画像であり、第２の代表情報は、関連医療情報を代表する第２の特定の医療情報を縮小した画像であってもよい。【００１１】
この場合、第２の代表情報のサイズは第１の代表情報のサイズよりも小さいものであってもよい。【００１２】
また、本開示による医療情報表示装置においては、第１の表示領域は、予め定められた複数の小表示領域に分割されてなり、
表示制御部は、選択されたカードにリンクされた医療情報の第１の代表情報を１つの小表示領域に表示し、選択されたカードとは別のカードが選択された場合、複数の小表示領域に空き領域があれば、別のカードにリンクされた医療情報の第１の代表情報を空き領域に表示し、かつ別のカードにリンクされた医療情報に関連する関連医療情報についての第２の代表情報を第２の表示領域に追加して表示し、複数の小表示領域に空き領域がない場合、別のカードにリンクされた医療情報に関連する関連医療情報についての第２の代表情報を第２の表示領域に追加して表示するものであってもよい。【００１３】
また、本開示による医療情報表示装置においては、表示制御部は、第１の表示領域における複数の小表示領域に表示された複数の第１の代表情報のうちのいずれかの第１の代表情報の拡大指示により、拡大指示された第１の代表情報を拡大して第１の表示領域に表示するものであってもよい。【００１４】
また、本開示による医療情報表示装置においては、表示制御部は、第１の表示領域において第１の代表情報が拡大表示されている場合、複数のカードからの別のカードの選択により、拡大表示されている第１の代表情報に代えて、別のカードにリンクされた医療情報の第１の代表情報を第１の表示領域に拡大表示するものであってもよい。【００１５】
また、本開示による医療情報表示装置においては、表示制御部は、第１の表示領域において第１の代表情報が拡大表示されている場合、第２の表示領域に表示された第２の代表情報の選択により、拡大表示されている第１の代表情報に代えて、選択された第２の代表情報または選択された第２の代表情報により代表される医療情報の第１の代表情報を第１の表示領域に拡大表示するものであってもよい。【００１６】
また、本開示による医療情報表示装置においては、表示制御部は、第１の表示領域に表示された第１の代表情報および第２の表示領域に表示された第２の代表情報の少なくとも一方についての詳細情報を、医療情報表示画面の第３の表示領域にさらに表示するものであってもよい。【００１７】
また、本開示による医療情報表示装置においては、表示制御部は、第１の表示領域において第１の代表情報が拡大表示されている場合、第３の表示領域に表示された詳細情報の選択により、拡大表示されている第１の代表情報に代えて、選択された詳細情報または選択された詳細情報を取得した医療情報の第１の代表情報を第１の表示領域に拡大表示するものであってもよい。【００１８】
本開示による医療情報表示方法は、患者に関する医療情報とリンクされた複数のカードを医療情報表示画面に表示し、
複数のカードのうちのいずれかのカードの選択を受け付け、
選択されたカードにリンクされた医療情報の第１の代表情報を医療情報表示画面における第１の表示領域に表示し、選択されたカードにリンクされた医療情報に関連する少なくとも１つの関連医療情報のそれぞれについての第２の代表情報を、医療情報表示画面における第２の表示領域に表示する。【００１９】
なお、本開示による医療情報表示方法をコンピュータに実行させるためのプログラムとして提供してもよい。【００２０】
本開示による医療情報を表示するためのグラフィックユーザインターフェースは、患者に関する医療情報とリンクされた複数のカードを表示するカード表示領域と、
複数のカードのうちのいずれかのカードの選択により、選択されたカードとリンクされた医療情報の第１の代表情報を表示する第１の表示領域と、
選択されたカードにリンクされた医療情報に関連する少なくとも１つの関連医療情報のそれぞれについての第２の代表情報を表示する第２の表示領域とを含む。【００２１】
なお、本開示による医療情報を表示するためのグラフィックユーザインターフェースにおいては、第１の表示領域に表示された第１の代表情報および第２の表示領域に表示された第２の代表情報の少なくとも一方についての詳細情報を表示する第３の表示領域をさらに含むものであってもよい。【００２２】
本開示による他の医療情報表示装置は、コンピュータに実行させるための命令を記憶するメモリと、
記憶された命令を実行するよう構成されたプロセッサとを備え、プロセッサは、
患者に関する医療情報とリンクされた複数のカードを医療情報表示画面に表示し、
複数のカードのうちのいずれかのカードの選択を受け付け、
選択されたカードにリンクされた医療情報の第１の代表情報を医療情報表示画面における第１の表示領域に表示し、選択されたカードにリンクされた医療情報に関連する少なくとも１つの関連医療情報のそれぞれについての第２の代表情報を、医療情報表示画面における第２の表示領域に表示する処理を実行する。
【発明の効果】
【００２３】
本開示によれば、表示を所望する医療情報に効率よくアクセスすることができる。
【図面の簡単な説明】
【００２４】
【図１】本開示の実施形態による医療情報表示装置を適用した医療情報システムの概略構成を示す図
【図２】本開示の実施形態による医療情報表示装置の概略構成を示す図
【図３】本実施形態において行われる処理を示すフローチャート
【図４】患者リストを示す図
【図５】医療情報表示画面を示す図
【図６】オブジェクトビューに表示されるカードの拡大図
【図７】レコードビューに表示されるカードの拡大図
【図８】第１の代表情報が表示された医療情報表示画面を示す図
【図９】医療情報表示画面における代表情報の表示を説明するための図
【図１０】医療情報表示画面における代表情報の表示を説明するための図
【図１１】医療情報表示画面における代表情報の表示を説明するための図
【図１２】医療情報表示画面における代表情報の表示を説明するための図
【図１３】医療情報表示画面における代表情報の表示を説明するための図
【図１４】医療情報表示画面における代表情報の表示を説明するための図
【図１５】医療情報表示画面における代表情報の表示を説明するための図
【図１６】医療情報表示画面における代表情報の表示を説明するための図
【発明を実施するための形態】
【００２５】
以下、図面を参照して本開示の実施形態について説明する。図１は本開示の実施形態による医療情報表示装置を適用した医療情報システムの概略構成を示す図である。図１に示す医療情報システム１は、公知のオーダリングシステムを用いた診療科の医師からの検査オーダーに基づいて、被写体である患者に対する生理検査、患者の検査対象部位の撮影、撮影により取得された医用画像等の医療情報の保管、読影医による医用画像の読影と読影レポートの作成、および依頼元の診療科の医師による読影レポートの閲覧と医療情報を参照しての診断とを行うためのシステムである。図１に示すように、医療情報システム１は、複数のモダリティ２、読影端末である複数の読影ワークステーション（ＷＳ）３、診療科ワークステーション（ＷＳ）４、医療情報管理サーバ５、医療情報データベース６、読影レポートサーバ７、読影レポートデータベース８、および解析装置９が、ネットワーク１０を介して互いに通信可能な状態で接続されて構成されている。なお、医療情報管理サーバ５および医療情報データベース６がＰＡＣＳを構成する。
【００２６】
各機器は、医療情報システム１の構成要素として機能させるためのアプリケーションプログラムがインストールされたコンピュータである。アプリケーションプログラムは、ＤＶＤ（Digital Versatile Disc）あるいはＣＤ−ＲＯＭ（Compact Disc Read Only Memory）等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００２７】
モダリティ２は、被写体の診断対象となる部位を撮影することにより、診断対象部位を表す医用画像を医療情報として取得する装置である。具体的には、ＣＴ装置、ＭＲＩ装置、ＰＥＴ（Positron Emission Tomography)装置、ＣＲ装置等である。また、本実施形態においては、モダリティ２には、患者の眼底を撮影して眼底画像を医用画像として生成する眼底撮影装置および内視鏡装置等、患者に関する静止画像および動画像を含む各種医用画像を取得する任意の装置とすることができる。また、本実施形態においては、患者に対して行った血液検査等の生理検査の結果を生成する装置も、モダリティ２に含めるものとする。モダリティ２により生成された医用画像は医療情報管理サーバ５に送信され、保存される。
【００２８】
読影ＷＳ３は、医用画像の読影医が、医用画像の読影および読影レポートの作成に使用するコンピュータであり、処理装置、高精細ディスプレイ等の表示部、並びにキーボードおよびマウス等の入力部により構成される。読影ＷＳ３では、医療情報管理サーバ５に対する医用画像の閲覧要求、医療情報管理サーバ５から受信した医用画像に対する各種画像処理、医用画像の表示、読影レポートの作成の支援、読影レポートサーバ７に対する読影レポートの登録要求と閲覧要求、並びに読影レポートサーバ７から受信した読影レポートの表示等の各処理が、各処理のためのソフトウェアプログラムを実行することにより行われる。なお、各種画像処理を読影ＷＳ３において行わず、別途画像処理装置をネットワーク１０に接続しておき、読影ＷＳ３からの処理の要求に応じて、画像処理装置が行うようにしてもよい。
【００２９】
診療科ＷＳ４は、本実施形態による医療情報表示装置を内包するものである。診療科ＷＳ４は、診療科の医師が画像の詳細観察、読影レポートの閲覧、および電子カルテの作成等に使用するコンピュータであり、処理装置、高精細ディスプレイ等の表示部、並びにキーボードおよびマウス等の入力部により構成される。診療科ＷＳ４では、医療情報管理サーバ５に対する医療情報の閲覧要求、医療情報管理サーバ５から受信した医療情報の表示、読影レポートサーバ７に対する読影レポートの閲覧要求、および読影レポートサーバ７から受信した読影レポートの表示等の各処理が、各処理のためのソフトウェアプログラムを実行することにより行われる。診療科ＷＳ４の医療情報表示装置としての機能については後述する。
【００３０】
医療情報管理サーバ５は、コンピュータにデータベース管理システム（DataBase Management System: DBMS）の機能を提供するソフトウェアプログラムがインストールされたものである。また、医療情報管理サーバ５は医療情報データベース６が構成される大容量ストレージを備えている。このストレージは、医療情報管理サーバ５とデータバスによって接続された大容量のハードディスク装置であってもよいし、ネットワーク１０に接続されているＮＡＳ（Network Attached Storage）およびＳＡＮ（Storage Area Network）に接続されたディスク装置であってもよい。また、医療情報管理サーバ５は、モダリティ２からの医用画像等の医療情報の登録要求を受け付けると、その医療情報をデータベース用のフォーマットに整えて医療情報データベース６に登録する。なお、医療情報管理サーバ５が管理する医療情報としては、上述したようにモダリティ２が取得した医用画像の他、電子カルテ、紹介状および投薬の情報等、患者に関する医療についての任意の情報とすることができる。
【００３１】
医療情報データベース６には、モダリティ２において取得された医療情報のデータが登録される。なお、医療情報には付帯情報が付与される。付帯情報には、例えば、個々の医療情報を識別するための医療情報ＩＤ(Identification)、患者を識別するための患者ＩＤ、検査を識別するための検査ＩＤ、その医療情報が生成された検査日、検査時刻、その医療情報を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の医用画像を取得したときのシリーズ番号あるいは採取番号等の情報が含まれる。
【００３２】
また、医療情報管理サーバ５は、読影ＷＳ３および診療科ＷＳ４からの閲覧要求をネットワーク１０経由で受信すると、医療情報データベース６に登録されている医療情報を検索し、検索された医療情報を要求元の読影ＷＳ３および診療科ＷＳ４に送信する。
【００３３】
読影レポートサーバ７は、コンピュータにデータベース管理システム（DBMS）の機能を提供するソフトウェアプログラムが組み込まれる。読影レポートサーバ７は、読影ＷＳ３からの読影レポートの登録要求を受け付けると、その読影レポートをデータベース用のフォーマットに整えて読影レポートデータベース８に登録する。
【００３４】
読影レポートデータベース８には、例えば、読影対象の医用画像を識別する画像ＩＤ、読影を行った読影医を識別するための読影医ＩＤ、病変名、病変の位置情報、所見、所見の確信度等の情報が記録された読影レポートが登録される。
【００３５】
解析装置９は、医用画像を解析して、医用画像に含まれる異常部位の自動検出、医用画像に含まれる構造物の計測、および計測結果を用いた解析等を行って、解析結果を医療情報として生成する。解析結果は、異常部位を矢印等のマークにより特定した医用画像、および計測により取得された計測結果を表す文字等を含む。解析装置９による解析結果は、解析を行った医用画像と対応づけられ、医療情報として医療情報管理サーバ５を介して医療情報データベース６に保管され、読影ＷＳ３および診療科ＷＳ４からの指示により、閲覧に供される。
【００３６】
ネットワーク１０は、病院内の各種機器を接続する有線または無線のローカルエリアネットワークである。読影ＷＳ３および診療科ＷＳ４が他の病院あるいは診療所に設置されている場合には、ネットワーク１０は、各病院のローカルエリアネットワーク同士をインターネットまたは専用回線で接続した構成としてもよい。
【００３７】
以下、本実施形態による医療情報表示装置について詳細に説明する。診療科ＷＳ４が本実施形態による医療情報表示装置として機能するものである。このために、診療科ＷＳ４には、本実施形態の医療情報表示プログラムがインストールされている。医療情報表示プログラムは、ＤＶＤあるいはＣＤ−ＲＯＭ等の記録媒体に記録されて配布され、その記録媒体から診療科ＷＳ４すなわちコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００３８】
図２は、コンピュータに医療情報表示プログラムをインストールすることにより実現される、本実施形態による医療情報表示装置の概略構成を示す図である。図２に示すように、医療情報表示装置２０は、標準的なワークステーションの構成として、ＣＰＵ（Central Processing Unit）２１、メモリ２２およびストレージ２３を備えている。また、医療情報表示装置２０には、高精細ディスプレイ等の表示部２４、並びにキーボードおよびマウス等の入力部２５が接続されている。
【００３９】
ストレージ２３は、ハードディスクまたはＳＳＤ（Solid State Drive）等のストレージデバイスからなる。ストレージ２３には、ネットワーク１０を経由して医療情報管理サーバ５から取得した、医療情報および処理に必要な情報を含む各種情報が記憶されている。
【００４０】
また、メモリ２２には、医療情報表示プログラムが記憶されている。医療情報表示プログラムは、ＣＰＵ２１に実行させる処理として、医療情報管理サーバ５から必要な情報を取得する情報取得処理、医療情報とリンクされた複数のカードを医療情報表示画面に表示するカード表示処理、複数のカードのうちのいずれかのカードの選択を受け付ける選択処理、および選択されたカードにリンクされた医療情報の第１の代表情報を後述する医療情報表示画面における第１の表示領域に表示し、選択されたカードにリンクされた医療情報に関連する少なくとも１つの関連医療情報のそれぞれについての第２の代表情報を、医療情報表示画面における第２の表示領域に表示する表示制御処理を規定する。
【００４１】
そして、ＣＰＵ２１がプログラムに従いこれらの処理を実行することで、コンピュータは、情報取得部３１、カード表示部３２、選択部３３および表示制御部３４として機能する。
【００４２】
情報取得部３１は、医療情報管理サーバ５等とネットワーク１０を介して通信を行う通信インターフェースからなり、医療情報表示プログラムからの指示により、医療情報および医療情報の表示に必要な各種情報を医療情報管理サーバ５を介して、医療情報データベース６から取得する。
【００４３】
以下、カード表示部３２、選択部３３および表示制御部３４が行う処理について詳細に説明する。図３は、本実施形態において行われる処理を示すフローチャートである。医療情報の表示の指示が入力部２５からなされると、カード表示部３２は、まず患者リストを表示部２４に表示する（ステップＳＴ１）。図４は患者リストを示す図である。図４に示すように患者リストＬ０には、患者名、患者ＩＤ、性別、生年月日および担当医等の情報が含まれる。ユーザ（医師）は、患者リストＬ０において閲覧を所望する患者を入力部２５を用いて選択する。ユーザが所望とする患者を選択すると（ステップＳＴ２）、カード表示部３２が、医療情報表示画面を表示部２４に表示する（ステップＳＴ３）。
【００４４】
図５は医療情報表示画面を示す図である。医療情報表示画面は、本開示による医療情報を表示するためのグラフィックユーザインターフェースに対応する。図５に示すように、医療情報表示画面４０は、オブジェクトビュー４１、レコードビュー４２、コンテンツビュー４３、関連ビュー４４およびインフォメーションビュー４５を含む。
【００４５】
オブジェクトビュー４１には、患者リストＬ０から選択した患者についての、医療情報とリンクされた複数のカードが時系列順に表示される。なお、ここでは１１枚のカード５１−１〜５１−１１が表示された状態を示している。カード５１−１〜５１−１１は、境界により規定される閉じられた領域であり、本実施形態においては、カード５１−１〜５１−１１は、予め定められたサイズの矩形の領域を有する。しかしながら、カード５１−１〜５１−１１の形状は矩形に限定されるものではなく、矩形以外の他の任意の形状を有するものであってもよい。また、カード５１−１〜５１−１１は、サイズを任意に変更可能なものであってもよい。また、カード５１−１〜５１−１１の表示順序は、時系列順に限定されるものではなく、例えばリンクされた医療情報のファイル名順等、任意の順序とすることが可能である。また、オブジェクトビュー４１に表示しきれないカード５１はオブジェクトビュー４１をスクロールすることにより表示することができる。以降の説明においては、カード５１−１〜５１−１１を単にカード５１と称する場合があるものとする。各カード５１は、医療情報データベース６に保管された医療情報とリンクされている。
【００４６】
図６はオブジェクトビュー４１に表示されるカードの拡大図である。図６に示すように、カード５１は、医療情報を取得した日付５１Ａ、医療情報の種類５１Ｂ、医療情報の取得をオーダーした診療科５１Ｄおよび部位５１Ｅの各文字情報を含む。また、カード５１には、医療情報のサムネイル画像５１Ｃも含まれる。なお、１つの検査オーダーに複数種類の検査、および複数の撮影シリーズが含まれる場合がある。このような場合、複数種類の検査および複数の撮影シリーズのそれぞれに対応してカード５１が表示される。
【００４７】
医療情報の種類５１Ｂの文字情報としては、ＣＲ画像であることを表す「CR」、ＣＴ画像であることを表す「CT」、血液検査の結果であることを表す「Blood Test」および眼底画像であることを表す「Funduscopy」等が挙げられる。サムネイル画像５１Ｃは、医療情報が画像である場合にはその縮小画像が、医療情報が血液検査等の生理検査である場合には検査結果を表す表等の縮小画像が用いられる。なお、医療情報がＣＴ画像である場合のように、１つの医療情報に複数の画像が含まれる場合には、複数の画像の代表画像（例えば先頭の画像）がサムネイル画像５１Ｃとして用いられる。診療科５１Ｄの文字情報としては、胸部外科であることを表す「Chest Surgery」および内科であることを表す「Diabetic internal Medicine」等が挙げられる。部位５１Ｅの文字情報としては、胸部であることを表す「Chest」、および目であることを表す「Eye」等が挙げられる。なお、図５等の医療情報表示画面４０の全体を表示する図面においては、図示を簡単なものとするために、カード５１に含まれる文字情報の一部を省略している。
【００４８】
レコードビュー４２には、患者リストＬ０から選択した患者についての、医療情報に対して行った解析に関する解析文字情報を含む複数のカード５２−１〜５２−４が表示される。複数のカード５２−１〜５２−４のそれぞれには、医療情報として解析結果がリンクされている。以降の説明においては、カード５２−１〜５２−４を単にカード５２と称する場合があるものとする。
【００４９】
図７はレコードビュー４２に表示されるカードの拡大図である。図７に示すように、カード５２には、医療情報の解析を行った日付５２Ａ、行った解析の種類５２Ｂ、解析者名５２Ｄ、および解析結果５２Ｅが解析文字情報として含まれる。なお、カード５２には、医療情報のサムネイル画像５２Ｃも含まれる。
【００５０】
行った解析の種類５２Ｂの解析文字情報としては、「ＣＴＲ」(Cardio-Thoracic Ratio；心胸郭比)および「ＣＡＤ」等が挙げられる。サムネイル画像５２Ｃは、サムネイル画像５１Ｃと同様に、医療情報が画像である場合にはその縮小画像が、医療情報が血液検査等の生理検査である場合には検査結果を表す表等の縮小画像が用いられる。なお、１つのカードにリンクされた医療情報が、ＣＴ画像のように複数の画像を含む場合には、解析に使用した画像、解析の結果、または異常が見つかった画像等がサムネイル画像５２Ｃとして用いられる。解析結果５２Ｅの解析文字情報には、行った解析の結果を表す文字が含まれる。例えば、解析がＣＴＲである場合には、ＣＴＲの値、画像における心陰影の幅および胸郭幅が含まれる。また、解析がＣＡＤである場合には、異常陰影の直径、体積および異常の程度等が含まれる。図７においては、心陰影の幅および胸郭幅をそれぞれ「Heart」および「Chest」で示している。なお、図５等の医療情報表示画面４０の全体を表示する図面においては、図示を簡単なものとするために、カード５２に含まれる文字情報の一部を省略している。
【００５１】
コンテンツビュー４３には、図５に示す医療情報表示画面４０において、ユーザがオブジェクトビュー４１またはレコードビュー４２に表示された複数のカード５１，５２からいずれかのカードを選択すると、選択されたカードとリンクされた医療情報の第１の代表情報が表示される。コンテンツビュー４３が本開示の第１の表示領域に対応する。図５に示すように、コンテンツビュー４３は、４つの小表示領域４３Ａ〜４３Ｄに分割されている。なお、コンテンツビュー４３の分割数はこれに限定されるものではなく、６分割または８分割等、任意の分割数とすることができる。
【００５２】
図８は第１の代表情報が表示された医療情報表示画面４０を示す図である。図８に示すように、オブジェクトビュー４１において上から６番目のカード５１−６が選択されると、選択されたカード５１−６が反転表示される。そして、コンテンツビュー４３の小表示領域４３Ａには、選択されたカード５１−６とリンクされた医療情報の第１の代表情報５３−１が表示される（代表情報表示；ステップＳＴ５）。なお、図８においてはカードの反転表示をカードに斜線を付与することにより示している。ここで、選択されたカード５１−６にリンクされた医療情報はＣＴ画像である。ＣＴ画像は複数の断層画像を含む。このため、第１の代表情報５３−１は複数の断層画像を代表する特定の画像となる。第１の代表情報としては、複数の断層画像の並び順の先頭の画像、予め定められた断層面の画像、および解析により病変が検出された画像等の縮小画像を用いることができる。なお、ステップＳＴ５の後は、医療情報表示画面４０の表示の終了指示がなされるまで、ステップＳＴ４にリターンする。
【００５３】
関連ビュー４４には、ユーザが選択したカードとリンクされた医療情報と関連する関連医療情報についての第２の代表情報が表示される。なお、関連ビュー４４には、コンテンツビュー４３の小表示領域４３Ａ〜４３Ｄよりも小さいサイズのサムネイル画像として第２の代表情報が表示される。関連ビュー４４が本開示の第２の表示領域に対応する。ここで、関連医療情報とは、選択されたカードとリンクされた医療情報に関連する任意の医療情報を意味する。例えば、選択されたカードとリンクされた医療情報が、１つの検査における複数の撮影シリーズの中の１つの撮影シリーズの医療情報である場合、１つの検査における他の撮影シリーズの医療情報を関連医療情報とすることができる。また、選択したカードとリンクされた医療情報に対して、ＣＲＴおよびＣＡＤ等による解析結果が存在する場合、その解析結果を関連医療情報とすることができる。また、選択したカードとリンクされた医療情報と同日に行われた検査により取得された医療情報を関連医療情報とすることもできる。
【００５４】
ここで、図８に示すように、オブジェクトビュー４１において上から６番目のカード５１−６が選択されると、関連ビュー４４には、選択されたカード５１−６にリンクされた医療情報に関連する関連医療情報の第２の代表情報が表示される。本実施形態においては、選択されたカード５１−６にリンクされた医療情報であるＣＴ画像は、１つの検査における複数の撮影シリーズの中の１つの撮影シリーズにおいて取得されたものであるとする。なお、撮影シリーズの数は例えば３であるものとする。また、ＣＴ画像を用いた解析結果が２つ存在するものとする。この場合、関連ビュー４４には、３つの撮影シリーズのそれぞれについての医療情報および２つの解析結果である医療情報の、合計５つの第２の代表情報の５４−１〜５４−５が、サムネイル画像として表示される。なお、表示された５つの第２の代表情報５４−１〜５４−５のうち、選択されたカード５１−６にリンクされた医療情報の第２の代表情報５４−１には、枠５４ａが付与されている。枠５４ａは、第２の代表情報５４−１に対応する第１の代表情報５３−１がコンテンツビュー４３に表示されていることを表す。
【００５５】
なお、コンテンツビュー４３に表示される第１の代表情報と、関連ビュー４４に表示される枠５４ａが付与された第２の代表情報とは同一の画像であってもよく、異なる画像であってもよい。例えば、コンテンツビュー４３に表示される第１の代表情報を複数の断層画像のうちの病変が検出された画像とし、関連ビュー４４に表示される第２の代表情報を複数の断層画像のうちの先頭の画像としてもよい。
【００５６】
一方、医療情報がＣＲ画像および生理検査のように１つの情報のみしか含まない場合には、コンテンツビュー４３に表示されるその医療情報の第１の代表情報と、関連ビュー４４に表示されるその医療情報の第２の代表情報とは同一となる。
【００５７】
インフォメーションビュー４５には、ユーザが選択したカードとリンクされた医療情報についての詳細情報が表示される。例えば、図８に示すように、オブジェクトビュー４１において上から６番目のカード５１−６が選択されると、インフォメーションビュー４５には、選択されたカード５１−６にリンクされた医療情報についての詳細情報５５−１が表示される。詳細情報５５−１には、カード５１−６にリンクされた医療情報、すなわちＣＴ画像に解析を行うことにより取得された解析結果、解析者、ＣＴ画像を取得した検査の内容等の各種情報が含まれる。また、図８に示すように、関連ビュー４４に表示された第２の代表情報５４−２〜５４−５により代表される医療情報についての詳細情報が存在する場合、その医療情報についての詳細情報もインフォメーションビュー４５に表示される。図８においては、例えば第２の代表情報５４−２により代表される医療情報についての詳細情報５５−２が、インフォメーションビュー４５に表示されている。
【００５８】
なお、選択されたカード５１−６をもう一度選択すると、反転表示が解除され、図８に示す表示は図５に示す状態に戻る。
【００５９】
図８に示す状態において、オブジェクトビュー４１における上から３番目のカード５１−３がさらに選択されると、図９に示すように、選択されたカード５１−３が反転表示される。そして、コンテンツビュー４３の小表示領域４３Ｂには、選択されたカード５１−３とリンクされた医療情報の第１の代表情報５３−２が表示される。ここで、選択されたカード５１−３にリンクされた医療情報はＣＲ画像である。このため、第１の代表情報５３−２はＣＲ画像の縮小画像となる。
【００６０】
一方、ユーザは、選択されたカード５１−３にリンクされた医療情報を用いた解析結果が医療情報として存在することを、レコードビュー４２を見ることにより認識することができる。ここで、解析結果を取得するための２種類の異なる解析が行われているものとする。この場合、選択されたカード５１−３にリンクされた医療情報の関連医療情報は、選択されたカード５１−３にリンクされた医療情報を含めて３つ存在することとなる。このため、関連ビュー４４には、選択されたカード５１−３にリンクされた医療情報に関連する３つの関連医療情報のそれぞれの第２の代表情報５４−６，５４−７，５４−８が、すでに表示されている第２の代表情報５４−１〜５４−５に追加されて表示される。なお、追加表示された３つの第２の代表情報５４−６〜５４−８のうち、選択されたカード５１−３にリンクされた医療情報の第２の代表情報５４−６には枠５４ｂが付与されている。枠５４ｂは、第２の代表情報５４−６に対応する第１の代表情報５３−２がコンテンツビュー４３に表示されていることを表す。また、選択されたカード５１−３にリンクされた医療情報はＣＲ画像であるため、第１の代表情報５３−２と第２の代表情報５４−６とは同一の画像となる。
【００６１】
一方、インフォメーションビュー４５には、ユーザがさらに選択したカードとリンクされた医療情報についての詳細情報が表示される。例えば、オブジェクトビュー４１における上から３番目のカード５１−３には、２種類の解析結果が存在する。このため、２種類の解析結果についての詳細情報５５−３，５５−４が、すでに表示されている詳細情報５５−１，５５−２に追加されて、インフォメーションビュー４５に表示される。なお、詳細情報５５−３，５５−４は、関連ビュー４４に表示された第２の代表情報５４−７，５４−８にそれぞれ対応するものとなる。
【００６２】
この状態において、ユーザがインフォメーションビュー４５における詳細情報５５−４を選択すると、図１０に示すように、詳細情報５５−４が反転表示される。そして、詳細情報５５−４に関連する医療情報の第１の代表情報５３−３が、コンテンツビュー４３の小表示領域４３Ｃに表示される。また、関連ビュー４４における詳細情報５５−４に対応する第２の代表情報５４−８には、第２の代表情報５４−８に対応する第１の代表情報５３−３がコンテンツビュー４３に表示されていることを表すための枠５４ｃが付与される。
【００６３】
図１０に示す状態において、コンテンツビュー４３に表示された３つの第１の代表情報５３−１〜５３−３のうちのいずれかの第１の代表情報をダブルクリック等により選択すると、選択した第１の代表情報が、コンテンツビュー４３に拡大表示される。例えば、コンテンツビュー４３の小表示領域４３Ａに表示された第１の代表情報５３−１を選択すると、図１１に示すように、第１の代表情報５３−１がコンテンツビュー４３に拡大表示される。なお、関連ビュー４４に表示されている第２の代表情報５４−１〜５４−８には、コンテンツビュー４３に拡大表示されている第１の代表情報５３−１に対応する第２の代表情報５４−１に対してのみ枠５４ａが付与されることとなる。
【００６４】
なお、図１１に示す状態において、コンテンツビュー４３に拡大表示された第１の代表情報５３−１をダブルクリック等により選択すると、第１の代表情報５３−１の拡大が解除されて図１０に示す状態に戻る。
【００６５】
また、図１１に示す状態において、ユーザがオブジェクトビュー４１における上から８番目のカード５１−８を選択すると、図１２に示すように、選択されたカード５１−８が反転表示される。そして、コンテンツビュー４３には、選択されたカード５１−８とリンクされた医療情報の第１の代表情報５３−４が拡大表示される。なお、選択されたカード５１−８とリンクされた医療情報は生理検査の結果であるため、コンテンツビュー４３に表示される第１の代表情報５３−４は、生理検査の結果の画像となる。また、関連ビュー４４には、選択されたカード５１−８とリンクされた医療情報の第２の代表情報５４−９が、すでに表示されている第２の代表情報５４−１〜５４−８に追加されて表示される。また、第２の代表情報５４−９には、第２の代表情報５４−９に対応する第１の代表情報５３−４がコンテンツビュー４３に表示されていることを表すための枠５４ｄが付与されている。
【００６６】
図１２に示す状態において、コンテンツビュー４３に表示された第１の代表情報５３−４をダブルクリック等により選択すると、第１の代表情報５３−４の拡大が解除される。第１の代表情報５３−４が拡大表示される前は、図１０に示すように、コンテンツビュー４３における４つの小表示領域４３Ａ〜４３Ｄのうちの小表示領域４３Ｄが空き領域となっている。このため、第１の代表情報５３−４の拡大表示が解除されると、図１３に示すように、図１０に示す状態において空き領域であった小表示領域４３Ｄに、カード５１−８とリンクされた医療情報の第１の代表情報５３−４が表示された状態となる。この状態においては、関連ビュー４４において、コンテンツビュー４３に表示された第１の代表情報５３−１〜５３−４に対応する第２の代表情報５４−１，５４−６，５４−８，５４−９にそれぞれ枠５４ａ〜５４ｄが付与されることとなる。
【００６７】
図１３に示すように、コンテンツビュー４３の小表示領域４３Ａ〜４３Ｄのすべての第１の代表情報が表示されている状態において、オブジェクトビュー４１においてさらに一番上のカード５１−１が選択されるとする。この場合、図１４に示すように、選択されたカード５１−１が反転表示される。一方、選択されたカード５１−１にリンクされた医療情報の第１の代表情報はコンテンツビュー４３には表示されず、選択されたカード５１−１にリンクされた医療情報の第２の代表情報５４−１０のみが関連ビュー４４に追加表示される。
【００６８】
このように、コンテンツビュー４３の小表示領域４３Ａ〜４３Ｄに空き領域がない状態において、オブジェクトビュー４１およびレコードビュー４２においてカードが選択されると、コンテンツビュー４３に表示された４つの第１の代表情報は変更されない。その一方で、関連ビュー４４に選択されたカードにリンクされた医療情報の第２の代表情報が追加表示されることとなる。
【００６９】
一方、図１２に示すように、カード５１−８の第１の代表情報５３−４がコンテンツビュー４３に拡大表示されている状態において、オブジェクトビュー４１においてさらに一番上のカード５１−１が選択されるとする。この場合、図１５に示すように、選択されたカード５１−１が反転表示され、選択されたカード５１−１にリンクされた医療情報の第１の代表情報５３−５がコンテンツビュー４３に拡大表示される。また、選択されたカード５１−１にリンクされた医療情報の第２の代表情報５４−１０が関連ビュー４４に追加表示される。なお、関連ビュー４４に表示された第２の代表情報５４−１０には、第２の代表情報５４−１０に対応する第１の代表情報５３−５がコンテンツビュー４３に表示されていることを表す枠５４ｅが付与される。
【００７０】
このように、コンテンツビュー４３に第１の代表情報が拡大表示されている状態において、オブジェクトビュー４１およびレコードビュー４２においてカードが選択されるとする。この場合、コンテンツビュー４３には選択されたカードにリンクされた医療情報の第１の代表情報が選択に応じて切り替え表示され、選択に応じて選択されたカードにリンクされた医療情報の第２の代表情報が関連ビュー４４に追加表示されることとなる。
【００７１】
一方、図１５に示す状態において、コンテンツビュー４３に表示された第１の代表情報５３−５がダブルクリック等により選択されるとする。この場合、第１の代表情報５３−５の拡大表示が解除され、コンテンツビュー４３の４つの小表示領域４３Ａ〜４３Ｄのそれぞれに、選択されているカードにリンクされた医療情報の第１の代表情報が表示される。なお、この場合において、図１６に示すように、選択された時刻が新しいカード５１−１，５１−８、詳細情報５５−４およびカード５１−３のそれぞれに対応する医療情報の第１の代表情報５３−２〜５３−５をコンテンツビュー４３の小表示領域４３Ａ〜４３Ｄに表示すればよいが、これに限定されるものではない。選択した時刻が古い４つのカードおよび詳細情報にリンクされた医療情報の第１の代表情報を表示するようにしてもよい。
【００７２】
ユーザは、上記のようにオブジェクトビュー４１およびレコードビュー４２におけるカードの選択、およびインフォメーションビュー４５における詳細情報の選択を行うことにより、表示を所望する医療情報をコンテンツビュー４３に表示し、診断を行うことができる。
【００７３】
このように、本実施形態においては、患者に関する医療情報とリンクされた複数のカード５１，５２が医療情報表示画面に表示され、複数のカード５１，５２のうちのいずれかのカードの選択が受け付けられる。そして、選択されたカードにリンクされた医療情報の第１の代表情報がコンテンツビュー４３に表示される。また、選択されたカードにリンクされた医療情報に関連する少なくとも１つの関連医療情報のそれぞれについての第２の代表情報が、関連ビュー４４に、すでに表示されている第２の代表情報に追加されて表示される。このため、関連ビュー４４には、表示を所望すべく選択した医療情報に関連する医療情報についての第２の代表情報が表示されることとなる。したがって、関連ビュー４４を参照することにより、表示を所望する医療情報に関連する関連医療情報を容易に確認することができる。よって、本実施形態によれば、表示を所望する医療情報に効率よくアクセスすることができる。
【００７４】
なお、上記実施形態においては、本開示による医療情報表示装置を診療科ＷＳ４に適用しているが、これに限定されるものではない。例えば、診療科医の医師が有するタブレット端末およびスマートフォン等に、本開示による医療情報表示装置を適用してもよい。
【００７５】
また、上記実施形態においては、関連ビュー４４に表示された第２の代表情報の選択により、選択された第２の代表情報により代表される医療情報の第１の医療情報をコンテンツビュー４３に表示するようにしてもよい。
【００７６】
また、上記実施形態においては、医療情報表示画面４０にオブジェクトビュー４１およびレコードビュー４２の双方を表示しているが、オブジェクトビュー４１のみまたはレコードビュー４２のみを表示するようにしてもよい。
【００７７】
また、上記実施形態においては、カード５１，５２にリンクされた医療情報のサムネイル画像５１Ｃ，５２Ｃが含まれているが、これに限定されるものではない。カード５１，５２にはサムネイル画像５１Ｃ，５２Ｃを含めず、文字情報のみを含めるようにしてもよい。
【００７８】
また、上記実施形態において、例えば、情報取得部３１、カード表示部３２、選択部３３および表示制御部３４といった各種の処理を実行する処理部（Processing Unit）のハードウェア的な構造としては、次に示す各種のプロセッサ（Processor）を用いることができる。上記各種のプロセッサには、上述したように、ソフトウェア（プログラム）を実行して各種の処理部として機能する汎用的なプロセッサであるＣＰＵに加えて、ＦＰＧＡ（Field  Programmable Gate Array）等の製造後に回路構成を変更可能なプロセッサであるプログラマブルロジックデバイス（Programmable Logic Device :PLD）、ＡＳＩＣ（Application Specific Integrated Circuit）等の特定の処理を実行させるために専用に設計された回路構成を有するプロセッサである専用電気回路等が含まれる。
【００７９】
１つの処理部は、これらの各種のプロセッサのうちの１つで構成されてもよいし、同種または異種の２つ以上のプロセッサの組み合わせ（例えば、複数のＦＰＧＡの組み合わせまたはＣＰＵとＦＰＧＡとの組み合わせ）で構成されてもよい。また、複数の処理部を１つのプロセッサで構成してもよい。
【００８０】
複数の処理部を１つのプロセッサで構成する例としては、第１に、クライアントおよびサーバ等のコンピュータに代表されるように、１つ以上のＣＰＵとソフトウェアとの組み合わせで１つのプロセッサを構成し、このプロセッサが複数の処理部として機能する形態がある。第２に、システムオンチップ（System On Chip:SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００８１】
さらに、これらの各種のプロセッサのハードウェア的な構造としては、より具体的には、半導体素子等の回路素子を組み合わせた電気回路（Circuitry）を用いることができる。
【符号の説明】
【００８２】
１    医療情報システム
２    モダリティ
３    読影ワークステーション
４    診療科ワークステーション
５    医療情報管理サーバ
６    医療情報データベース
７    読影レポートサーバ
８    読影レポートデータベース
９    解析装置
１０    ネットワーク
２０    医療情報表示装置
２１    ＣＰＵ
２２    メモリ
２３    ストレージ
２４    表示部
２５    入力部
３１    情報取得部
３２    カード表示部
３３    選択部
３４    表示制御部
４１    オブジェクトビュー
４２    レコードビュー
４３    コンテンツビュー
４３Ａ〜４３Ｄ    小表示領域
４４    関連ビュー
４５    インフォメーションビュー
５１，５２    カード
５１Ａ，５２Ａ    日付
５１Ｂ    医療情報の種類
５１Ｃ，５２Ｃ    サムネイル画像
５１Ｄ    診療科
５１Ｅ    部位
５２Ｂ    解析の種類
５２Ｄ    解析者名
５２Ｅ    解析結果
５３    第１の代表情報
５４    第２の代表情報
５４ａ〜５４ｅ    枠
５５    詳細情報
【図１】
2020105415.tif 000003
【図２】
2020105415.tif 000004
【図３】
2020105415.tif 000005
【図４】
2020105415.tif 000006
【図５】
2020105415.tif 000007
【図６】
2020105415.tif 000008
【図７】
2020105415.tif 000009
【図８】
2020105415.tif 000010
【図９】
2020105415.tif 000011
【図１０】
2020105415.tif 000012
【図１１】
2020105415.tif 000013
【図１２】
2020105415.tif 000014
【図１３】
2020105415.tif 000015
【図１４】
2020105415.tif 000016
【図１５】
2020105415.tif 000017
【図１６】
2020105415.tif 000018
【国際調査報告】
2020105415.tif 000019
2020105415.tif 000020
2020105415.tif 000021
2020105415.tif 000022